【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
字幕またはメニューボタンからなる副画像の２Ｄ（２Dimensional）表示に用いられる画像データと、
前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルと
を含むデータ構造のデータが記録されている記録媒体。
【請求項２】
前記テーブルには、画面単位の前記副画像のオフセット情報が、その画面単位の副画像の再生時刻と対応付けて記述される
請求項１に記載の記録媒体。
【請求項３】
前記テーブルには、第１の画面の前記副画像のオフセット情報が、その第１の画面の再生時刻と対応付けて記述されるとともに、前記第１の画面の前記再生時刻から所定の間隔ずつ離れた再生時刻の第２の画面の前記副画像のオフセット情報が、前記所定の間隔と対応付けて記述される
請求項１に記載の記録媒体。
【請求項４】
前記テーブルは複数あり、
各テーブルにはＩＤが付与され、
前記画像データには前記ＩＤが対応付けられている
請求項１に記載の記録媒体。
【請求項５】
前記オフセット情報は、前記Ｌ画像および前記Ｒ画像が画面からはみ出さないように設定される
請求項１に記載の記録媒体。
【請求項６】
字幕またはメニューボタンからなる副画像の２Ｄ（２Dimensional）表示に用いられる画像データと、
前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルと
を含むデータ構造のデータを再生する場合、
前記データに含まれる前記テーブルを読み出して保持し、
前記データに含まれる前記画像データを読み出し、
前記画像データの再生時刻が前記テーブルに含まれる再生時刻である場合、その再生時刻に対応して記述されているオフセット情報に基づいて、その画像データから、前記Ｌ画像および前記Ｒ画像の画像データを生成し、出力する
再生装置。
【請求項７】
前記テーブルには、画面単位の前記副画像のオフセット情報が、その画面単位の副画像の再生時刻と対応付けて記述され、
前記再生装置は、画面単位の前記画像データの再生時刻が前記テーブルに含まれる再生時刻である場合、その再生時刻に対応して記述されているオフセット情報に基づいて、その画面単位の画像データから、画面単位の前記Ｌ画像および前記Ｒ画像の画像データを生成し、出力する
請求項６に記載の再生装置。
【請求項８】
前記テーブルには、第１の画面の前記副画像のオフセット情報が、その第１の画面の再生時刻と対応付けて記述されるとともに、前記第１の画面の前記再生時刻から所定の間隔ずつ離れた再生時刻の第２の画面の前記副画像のオフセット情報が、前記所定の間隔と対応付けて記述され、
前記再生装置は、
画面単位の前記画像データの再生時刻が前記第１の画面の再生時刻である場合、その再生時刻に対応して記述されているオフセット情報を現在のオフセット情報として設定し、
前記画面単位の画像データの再生時刻が前記第２の画面の再生時刻である場合、前記所定の間隔と対応付けて記述されている、その再生時刻に対応するオフセット情報を現在のオフセット情報として設定し、
設定されているオフセット情報に基づいて、前記画面単位の画像データから、画面単位の前記Ｌ画像および前記Ｒ画像の画像データを生成し、出力する
請求項６に記載の再生装置。
【請求項９】
前記テーブルは複数あり、
各テーブルにはＩＤが付与され、
前記画像データには前記ＩＤが対応付けられ、
前記再生装置は、
再生対象の前記画像データに対応付けられた前記ＩＤに基づいて、そのＩＤが付与された前記テーブルを読み出し、
前記再生対象の画像データの再生時刻が、読み出された前記テーブルに含まれる再生時刻である場合、その再生時刻に対応して記述されているオフセット情報を現在のオフセット情報として設定し、
設定されているオフセット情報に基づいて、前記再生対象の画像データから、前記Ｌ画像および前記Ｒ画像の画像データを生成し、出力する
請求項６に記載の再生装置。
【請求項１０】
前記オフセット情報は、前記Ｌ画像および前記Ｒ画像が画面からはみ出さないように設定される
請求項６に記載の再生装置。
【請求項１１】
字幕またはメニューボタンからなる副画像の２Ｄ（２Dimensional）表示に用いられる画像データと、
前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルと
を含むデータ構造のデータを再生する再生装置が、
前記データに含まれる前記テーブルを読み出して保持し、
前記データに含まれる前記画像データを読み出し、
前記画像データの再生時刻が前記テーブルに含まれる再生時刻である場合、その再生時刻に対応して記述されているオフセット情報に基づいて、その画像データから、前記Ｌ画像および前記Ｒ画像の画像データを生成し、出力する
ステップを含む再生方法。
【請求項１２】
字幕またはメニューボタンからなる副画像の２Ｄ（２Dimensional）表示に用いられる画像データと、
前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルと
を含むデータ構造のデータを再生する制御を実行するコンピュータに、
前記データに含まれる前記テーブルを読み出して保持させ、
前記データに含まれる前記画像データを読み出し、
前記画像データの再生時刻が前記テーブルに含まれる再生時刻である場合、その再生時刻に対応して記述されているオフセット情報に基づいて、その画像データから、前記Ｌ画像および前記Ｒ画像の画像データを生成し、出力する
ステップを含む制御処理を実行させるプログラム。
【請求項１３】
字幕またはメニューボタンからなる副画像の２Ｄ（２Dimensional）表示に用いられる画像データと、
前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルと
を含むデータ構造のデータを再生する制御を実行するコンピュータに、
前記データに含まれる前記テーブルを読み出して保持させ、
前記データに含まれる前記画像データを読み出し、
前記画像データの再生時刻が前記テーブルに含まれる再生時刻である場合、その再生時刻に対応して記述されているオフセット情報に基づいて、その画像データから、前記Ｌ画像および前記Ｒ画像の画像データを生成し、出力する
ステップを含む制御処理を実行させるプログラムが記録されているプログラム格納媒体。
【請求項１４】
字幕またはメニューボタンからなる副画像の２Ｄ（２Dimensional）表示に用いられる画像データと、前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとを記録媒体に記録させる記録制御手段
を備える記録装置。
【請求項１５】
前記テーブルには、画面単位の前記副画像のオフセット情報が、その画面単位の副画像の再生時刻と対応付けて記述される
請求項１４に記載の記録装置。
【請求項１６】
前記テーブルには、第１の画面の前記副画像のオフセット情報が、その第１の画面の再生時刻と対応付けて記述されるとともに、前記第１の画面の前記再生時刻から所定の間隔ずつ離れた再生時刻の第２の画面の前記副画像のオフセット情報が、前記所定の間隔と対応付けて記述される
請求項１４に記載の記録装置。
【請求項１７】
前記テーブルは複数あり、
各テーブルにはＩＤが付与され、
前記画像データには前記ＩＤが対応付けられている
請求項１４に記載の記録装置。
【請求項１８】
前記オフセット情報は、前記Ｌ画像および前記Ｒ画像が画面からはみ出さないように設定される
請求項１４に記載の記録装置。
【請求項１９】
記録装置が、
字幕またはメニューボタンからなる副画像の２Ｄ（２Dimensional）表示に用いられる画像データと、前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとを記録媒体に記録させる記録制御ステップ
を含む記録方法。
【手続補正２】
【補正対象書類名】明細書
【補正対象項目名】発明の名称
【補正方法】変更
【補正の内容】
【発明の名称】記録媒体、再生装置、再生方法、プログラム、およびプログラム格納媒体、並びに、記録装置および記録方法
【手続補正３】
【補正対象書類名】明細書
【補正対象項目名】０００１
【補正方法】変更
【補正の内容】
【０００１】
本発明は、記録媒体、再生装置、再生方法、プログラム、およびプログラム格納媒体、並びに、記録装置および記録方法に関し、特に、字幕やメニューボタンの３Ｄ表示に適した３Ｄ表示用のビデオのフォーマットを提供することができるようにした記録媒体、再生装置、再生方法、プログラム、およびプログラム格納媒体、並びに、記録装置および記録方法に関する。
【手続補正４】
【補正対象書類名】明細書
【補正対象項目名】０００８
【補正方法】変更
【補正の内容】
【０００８】
本発明の第１の側面の記録媒体は、字幕またはメニューボタンからなる副画像の２Ｄ（２Dimensional）表示に用いられる画像データと、前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとを含むデータ構造のデータが記録されている記録媒体である。
【手続補正５】
【補正対象書類名】明細書
【補正対象項目名】０００９
【補正方法】変更
【補正の内容】
【０００９】
本発明の第１の側面の記録媒体に記録されているデータのデータ構造においては、字幕またはメニューボタンからなる副画像の２Ｄ（２Dimensional）表示に用いられる画像データと、前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとが含まれている。
【手続補正６】
【補正対象書類名】明細書
【補正対象項目名】００１０
【補正方法】変更
【補正の内容】
【００１０】
本発明の第２の側面の再生装置は、字幕またはメニューボタンからなる副画像の２Ｄ（２Dimensional）表示に用いられる画像データと、前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとを含むデータ構造のデータを再生する場合、前記データに含まれる前記テーブルを読み出して保持し、前記データに含まれる前記画像データを読み出し、前記画像データの再生時刻が前記テーブルに含まれる再生時刻である場合、その再生時刻に対応して記述されているオフセット情報に基づいて、その画像データから、前記Ｌ画像および前記Ｒ画像の画像データを生成し、出力する再生装置である。
【手続補正７】
【補正対象書類名】明細書
【補正対象項目名】００１１
【補正方法】変更
【補正の内容】
【００１１】
本発明の第２の側面の再生方法、プログラム、およびプログラム格納媒体は、上述した本発明の第２の側面の再生装置に対応する。
【手続補正８】
【補正対象書類名】明細書
【補正対象項目名】００１２
【補正方法】変更
【補正の内容】
【００１２】
本発明の第２の側面の再生装置、再生方法、プログラム、およびプログラム格納媒体においては、字幕またはメニューボタンからなる副画像の２Ｄ（２Dimensional）表示に用いられる画像データと、画像データに対応する副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとを含むデータ構造のデータが次のようにして再生される。即ち、データに含まれるテーブルが読み出されて保持される。また、データに含まれる画像データが読み出される。画像データの再生時刻がテーブルに含まれる再生時刻である場合、その再生時刻に対応して記述されているオフセット情報に基づいて、その画像データから、Ｌ画像およびＲ画像の画像データが生成され、出力される。
本発明の第３の側面の記録装置は、字幕またはメニューボタンからなる副画像の２Ｄ（２Dimensional）表示に用いられる画像データと、前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとを記録媒体に記録させる記録制御手段を備える記録装置である。
本発明の第３の側面の記録方法は、上述した本発明の第３の側面の記録装置に対応する。
本発明の第３の側面の記録装置および記録方法においては、字幕またはメニューボタンからなる副画像の２Ｄ（２Dimensional）表示に用いられる画像データと、前記画像データに対応する前記副画像に対する、その副画像の３Ｄ表示に用いられる左目用のＬ画像および右目用のＲ画像のずれ方向を表すオフセット方向、および、ずれ量を表すオフセット値からなるオフセット情報が、その副画像の再生時刻と対応付けて記述されるテーブルとが記録媒体に記録される。